(57)【要約】  【課題】  不透明な容器に収められた消毒液の残量を確認できるキャップを提供する。  【解決手段】    薬液製品容器1の口金1aからフロート10とロッド体8を容器内に入れキャップ2を口金1aに装着し、ロッド体8がキャップ2のブリーザー12の孔を通りキャップ2aに取り付けられたホルダー管5内を消毒液1bの残量とともに目印７が下降しホルダー管5のラベル6の目盛を目視することで残量を確認できる。  【選択図】    図１
0003116247.tif 000002
【実用新案登録請求の範囲】
【請求項１】
消毒液等の農薬を収納する薬液容器の口金筒部に、螺子込み若しくは嵌入圧着等で装着できる栓体を設け、該栓体に前記薬液容器の内部と外部を連通する上下方向の連通孔を形成し、該上下方向の連通孔に前記薬液容器内部の薬液残量を表示する薬液残量表示装置を設けたことを特徴とする残量計付農薬容器用キャップ。
【請求項２】
上下方向の連通孔を薬液容器のブリーザー孔とし、該連通孔に直線針状のロッド体を上下方向移動可能に貫通させ、該ロッド体の製品容器内部側にフロートを設け、その反対の外部に出る箇所に目印部を装着することで、フロートの浮力を利用し液面を外部から確認できることを特徴とする請求項１記載の残量計付農薬容器用キャップ。
【請求項３】
連通孔上部の周囲に形成した凹部に、内部を透視可能にしたゲージ管を差込み固定し、該ゲージ管の内部にロッド体の目印部を移動可能に挿入させると共に、ゲージ管部の外部に目印部の移動位置を視認できる目盛を設けたことを特徴とする請求項２に記載の残量計付農薬容器用キャップ。
【請求項４】
栓体に、連通孔とは別位置に前記フロート部の動きを妨げない為に消毒用ポンプの吸水用パイプを覆うガイドとなる着脱可能なガイド管を配設し、該ガイド管の下方側にストレーナーを付設すると共にガイド管内部に挿通される吸水用パイプの下端をストレーナー位置近傍に臨ませたことを特徴とする請求項２若しくは３に記載の残量計付農薬容器用キャップ。
【考案の詳細な説明】
【技術分野】
【０００１】
本考案は消毒用ポンプに連結された吸液チューブを消毒液製品容器の口金に取り付け固定するキャップに、内部薬液残量を表示確認する表示装置を設けた装置に関する。
【背景技術】
【０００２】
土壌消毒液の残量検出装置としては、特許文献１に示されるように容器内に収容された土壌消毒機の液面に浮遊するフロート部材に指標部材を装備し容器外に露出させるものが提案されている。また、従来の慣行として農業用圃場において土壌消毒の際、薬液の使用量や残量を確認するためにポリタンク等の半透明な容器に移し替え使用することが一般的な方法とされている。
【特許文献１】特開２００２−２２５２２号公報
【考案の開示】
【考案が解決しようとする課題】
【０００３】
特許文献１に示されるフロート部材は、浮力があれば大きさの大小は限定されないが、土壌消毒に多く使用される薬液のクロルピクリン剤やＤ−Ｄ剤の容器口金は、ねじ込み方式や被冠圧着方式などそれぞれに異なる止め構造で、なおかつ、容器の口金径は３０ミリほどしかないため、容器内にポンプからのチューブを入れようとするとフロート部材は、小さい物でなくてはならないという課題がある。また、残量検出装置となる指示部材は、キャップの空気孔から外に出して、出ている長さを目視するとあるがこの指標部の保持機構等は設けられていないのでこれを安定的に支持する課題も残されている。
【０００４】
本考案が前述の状況に鑑み、解決しようとするところは、製品容器内の薬液残量を正確に作業中に外部から容易に目視確認でき、さらに、消毒機の製品容器用キャップの機能をもちあわせた、残量計付農薬容器用キャップを提供する点にある。
【課題を解決するための手段】
【０００５】
本考案は、前述の課題解決のために、第一に、異なる容器の口金に装着する為にキャップ本体に、螺子による取り付け部とテーパー加工による摩擦力と弾性力で取り付ける装着部をもち合わせており製品容器に容易に確実に固定することができる。
【０００６】
第二に、前記キャップ本体を農薬容器の口金に固定し容器内部に薬液面に浮くフロート部とそれに付けられたロッド体とが、固定されたキャップ本体のフリーザー孔を貫通しロッド体その先端に目印を固定しその位置により容易に液面をよみとることができる。
【０００７】
第三に、前記キャップ本体のブリーザー孔の上部凹部を設け目印部を囲うホルダー管を取り付け、消毒液の減量とともに目印が下降しその位置を容易によみとる為、ホルダー管に目盛を施してやることで容易に、容器内部の消毒液残量を随時確認できる。
【０００８】
第四に、前記キャップを薬液製品容器に取り付け容器内部にフロートを入れたときに、その動きを吸水用の曲がりのあるチューブに妨げられぬようにチューブをまっすぐに内部に収めるガイドとなる管によりその動きを妨げられなくなる。なおかつ、薬液の交換の際にキャップよりチューブを容易に取り外すことができ、ガイド管に設けられたストレーナーにより消毒用ポンプ内部にごみの侵入を防ぐことができる。
【考案の効果】
【０００９】
請求項１の考案によれば、キャップの形状が異なる口金をもつ製品容器に使用できることが優れ、消毒液機の吸水用キャップとして使用範囲の広い残量計付農薬容器用キャップを提供することができる。
【００１０】
請求項２の考案によれば、キャップ本体を装着し薬液容器内部に入れたフロートをセンサー部として使用することで構造が簡単でロッド体の貫通部がそのままブリーザーとしての効果も同時に補える。また、目視しやすくする為の目印があることで計測することが容易にできる。
【００１１】
請求項３の考案によれば、計測部となる目印を薬液の最高水位から最低水位の間を覆う着脱できる管を備えており、その管の周りに目盛を施すことにより薬液容器内の薬液残量を常に確実に読取ることができる。
【００１２】
請求項４の考案によれば、薬剤容器内に消毒用ポンプの吸水チューブをキャップ本体から着脱可能な管により固定ができて、なおかつ、本考案の課題である計測装置のセンサー部となるフロートの動きを妨げない効果がえられる。
【考案を実施するための最良の形態】
【００１３】
以下、実施例に関する図面に基づいて本考案を詳細に説明する。
図１及び図２は、残量計付農薬容器用キャップに係わる装置の構造を示している。
薬液製品缶１の中に、消毒液１ｂが入っている。薬液製品缶１は、消毒専用機やトラクタ、または管理機作業機の薬液架台Ｋに搭載される。上記薬液製品缶１の上部に設けられる筒部形成された口金１ａにキャップ２がねじ込み方式による螺子部やテーパー形成されたゴムや樹脂材などを圧入する圧入部を利用して栓体が気密性の高い方法で装着され、キャップ２の吸水口４を貫通してガイド管９を装備し、該ガイド管９の内部にストレーナー１１位置近傍に望ませて、消毒用ポンプ13の吸入口から接続されたチューブ４aの下端が差し込まれている。また、必要に応じて戻り口３にも消毒用ポンプ１３の戻り口よりチューブ3aが差し込まれている。
【００１４】
本考案による残量計付農薬缶のキャップ２は、合成樹脂製（ステンレス製などの耐腐食性の優れた金属等でもよい）の本体部と着脱可能な内部中空状のガイド管９とそれとともに備えつけられたストレーナー１１と、キャップ２を貫通し装備されるロッド体８にその両端に装着されるフロート１０と指標部材としての目印７、そして、キャップ２と着脱可能にされた中空状で内部が透視可能な透明なホルダー管５、該ホルダー管５に備えつけられた透明な樹脂に目盛６ａをつけたラベル６からなっている。
【００１５】
前記フロート１０は、口金1aよりキャップ２を貫通して容器内部に入れてあり、同じくキャップ２を貫通して入れてあるガイド管９や戻り口３からのチューブ３aに近接し、その動きに影響しないためにも、小型な物で消毒液に侵されない材質で、さらには、浮力の大きい物でなければならない。例えば、薬品用のスポイトのような中空の樹脂製の物が望ましい。（これらの条件を充たせば他のものでのよいことは勿論である。）
【００１６】
前記チューブ４ａを覆うためのガイド管９は、フロート１０の動きを妨げないために真っ直ぐの管で、耐腐食性にすぐれたものが良い、例えばステンレス管などである。ガイド管９に備えるストレーナー１１は、テフロン等の網をガイド管９に被せてその外部に外れないようにキャップ状のリング（内部中空状の樹脂等）を装着して実施すればよい。
【００１７】
直線針状のロッド体８は、フロート１０と目印７を両端に接着剤や嵌合摩擦力により備え、液面とともに下降し残量を検出する装置として機能し、キャップ２のブリーザー１２の孔より貫通して装着されるのでステンレス製のバネ材など耐腐食性に優れ変形しにくい細軸体で形成される物が良い。
【００１８】
ホルダー管５を図３のブリーザー１２に固定し図４に示したように、目盛６ａを読取り薬液残量を目視出来るものである。ホルダー５は、透明な樹脂のものが良い。ホルダー５にラベル６を透明な粘着剤で貼り付ける。
【００１９】
農業用圃場において土壌消毒作業をおこなう場合には、例えば図５に概略を示すようにポンプ13を用いて製品容器1から薬液としての消毒液１ｂを吸い込み、該ポンプ13により消毒液1ｂをロータリにより耕耘作業されている土壌中に吐出して、土壌消毒をおこなうのである。この時に、土壌消毒作業の遂行に伴って薬液製品容器１内の消毒液１ｂが減ると液面に浮いたフロート１０がそれに伴い下降し、ロッド体８と目印７がホルダー管５内部を下降するので、オペレーターは随時薬液残量を目視確認出来る。
【産業上の利用可能性】
【００２０】
本考案は、土壌消毒作業の薬液注入に用いた例を説明したが、田植え作業や畑作移植作業等の除草剤散布用の薬液供給に用いたり、或いは各種液体肥料の施肥作業等にも用いることが可能であり、各種液体状のものの吐出に適宜に使用できるものである。従って本考案の薬液供給の使用形態は、本考案の請求範囲内の範囲内において利用できるものであり本考案で説明した実施例に限定されるものではない。
【図面の簡単な説明】
【００２１】
【図１】本考案に係わる装置の構造を示す斜視図である。
【図２】本考案に係わる装置の構造を示す平面図である。
【図３】本考案の残量表示部の詳細部を示す。
【図４】キャップ本体を示す。
【図５】本考案に係わる装置を装着した概略全体側面図を示す。
【符号の説明】
【００２２】
１    製品缶
１a   製品缶口金
２    キャップ
２a   キャップ凹部
３    戻り口
３a   チューブ（戻り）  
４    吸水口
４a   チューブ（吸水）
５    ホルダー管
６    ラベル
７    目印
８    ロッド体
９    ガイド管
１０  フロート
１１  ストレーナー
１２  ブリーザー
１３  消毒機（ポンプ）
【図１】
0003116247.tif 000003
【図２】
0003116247.tif 000004
【図３】
0003116247.tif 000005
【図４】
0003116247.tif 000006
【図５】
0003116247.tif 000007